(57)【要約】【課題】  原稿上の表示の一部を出力することができる画像形成装置および画像形成プログラムを提供する。【解決手段】  ＭＦＰは、スキャナーによって原稿から画像を読み取り（Ｓ１０１）、Ｓ１０１において読み取った画像を表示部に表示し（Ｓ１０２）、Ｓ１０２において表示部に表示した画像における領域を入力部による入力に応じて受け付け（Ｓ１０７）、Ｓ１０７において読み取った画像のうちＳ１０７において受け付けた領域に対応する部分を抽出し（Ｓ１０９）、Ｓ１０９において抽出した部分を出力する（Ｓ１１０）ことを特徴とする。【選択図】  図２
2017216506.tif 000002
【特許請求の範囲】
【請求項１】
操作が入力される入力デバイスと、
情報を表示する表示デバイスと、
原稿から画像を読み取る読取デバイスと、
前記読取デバイスによって原稿から画像を読み取る画像読取手段と、
前記画像読取手段によって読み取られた画像を前記表示デバイスに表示する読取画像表示手段と、
前記読取画像表示手段によって前記表示デバイスに表示された画像における領域を前記入力デバイスによる入力に応じて受け付ける領域受付手段と、
前記画像読取手段によって読み取られた画像のうち前記領域受付手段によって受け付けられた領域に対応する部分を抽出する部分抽出手段と、
前記部分抽出手段によって抽出された前記部分を出力する抽出部分出力手段とを備えることを特徴とする画像形成装置。
【請求項２】
前記抽出部分出力手段による前記部分の出力は、前記部分抽出手段によって抽出された前記部分の前記表示デバイスによる表示を含むことを特徴とする請求項１に記載の画像形成装置。
【請求項３】
前記抽出部分出力手段は、前記部分抽出手段によって抽出された前記部分を前記表示デバイスによって表示する場合、特定の倍率で拡大して表示することを特徴とする請求項２に記載の画像形成装置。
【請求項４】
前記抽出部分出力手段による前記部分の出力は、前記部分抽出手段によって抽出された前記部分の記憶デバイスへの記憶を含むことを特徴とする請求項１から請求項３までの何れかに記載の画像形成装置。
【請求項５】
記録媒体に印刷を実行する印刷デバイスを備え、
前記抽出部分出力手段による前記部分の出力は、前記部分抽出手段によって抽出された前記部分の前記印刷デバイスによる印刷を含むことを特徴とする請求項１から請求項４までの何れかに記載の画像形成装置。
【請求項６】
前記抽出部分出力手段は、前記部分抽出手段によって抽出された前記部分を前記印刷デバイスによって印刷する場合、特定の倍率で拡大して印刷することを特徴とする請求項５に記載の画像形成装置。
【請求項７】
操作が入力される入力デバイス、
情報を表示する表示デバイス、および、
原稿から画像を読み取る読取デバイス
を備える画像形成措置を、
前記読取デバイスによって原稿から画像を読み取る画像読取手段、
前記画像読取手段によって読み取られた画像を前記表示デバイスに表示する読取画像表示手段、
前記読取画像表示手段によって前記表示デバイスに表示された画像における領域を前記入力デバイスによる入力に応じて受け付ける領域受付手段、
前記画像読取手段によって読み取られた画像のうち前記領域受付手段によって受け付けられた領域に対応する部分を抽出する部分抽出手段、および、
前記部分抽出手段によって抽出された前記部分を出力する抽出部分出力手段として機能させることを特徴とする画像形成プログラム。
【発明の詳細な説明】
【技術分野】
【０００１】
本発明は、原稿から読取デバイスによって読み取られた画像の一部を抽出して出力する画像形成装置および画像形成プログラムに関する。
【背景技術】
【０００２】
従来、画像形成装置によって印刷される画像を生成するコンピューターが、画像形成装置によって印刷される画像の一部を拡大して表示する技術が知られている（例えば、特許文献１、２参照。）。
【先行技術文献】
【特許文献】
【０００３】
【特許文献１】特開２０１１−２０３８５６号公報
【特許文献２】特開２０１４−１８６４５５号公報
【発明の概要】
【発明が解決しようとする課題】
【０００４】
しかしながら、従来の技術においては、これから画像形成装置によって印刷される画像の一部を拡大して表示することができるものの、原稿上の表示の一部を出力することができないという問題がある。
【０００５】
そこで、本発明は、原稿上の表示の一部を出力することができる画像形成装置および画像形成プログラムを提供することを目的とする。
【課題を解決するための手段】
【０００６】
本発明の画像形成装置は、操作が入力される入力デバイスと、情報を表示する表示デバイスと、原稿から画像を読み取る読取デバイスと、前記読取デバイスによって原稿から画像を読み取る画像読取手段と、前記画像読取手段によって読み取られた画像を前記表示デバイスに表示する読取画像表示手段と、前記読取画像表示手段によって前記表示デバイスに表示された画像における領域を前記入力デバイスによる入力に応じて受け付ける領域受付手段と、前記画像読取手段によって読み取られた画像のうち前記領域受付手段によって受け付けられた領域に対応する部分を抽出する部分抽出手段と、前記部分抽出手段によって抽出された前記部分を出力する抽出部分出力手段とを備えることを特徴とする。
【０００７】
この構成により、本発明の画像形成装置は、原稿から読取デバイスによって読み取った画像のうち入力デバイスによる入力に応じて受け付けた領域に対応する部分を抽出し、抽出した部分を出力するので、原稿上の表示の一部を出力することができる。
【０００８】
本発明の画像形成装置において、前記抽出部分出力手段による前記部分の出力は、前記部分抽出手段によって抽出された前記部分の前記表示デバイスによる表示を含んでも良い。
【０００９】
この構成により、本発明の画像形成装置は、原稿上の表示の一部を表示デバイスに表示することができるので、利便性を向上することができる。
【００１０】
本発明の画像形成装置において、前記抽出部分出力手段は、前記部分抽出手段によって抽出された前記部分を前記表示デバイスによって表示する場合、特定の倍率で拡大して表示しても良い。
【００１１】
この構成により、本発明の画像形成装置は、原稿上の表示の一部を拡大して表示デバイスに表示することができるので、利便性を向上することができる。
【００１２】
本発明の画像形成装置において、前記抽出部分出力手段による前記部分の出力は、前記部分抽出手段によって抽出された前記部分の記憶デバイスへの記憶を含んでも良い。
【００１３】
この構成により、本発明の画像形成装置は、原稿上の表示の一部を記憶デバイスに記憶することができるので、利便性を向上することができる。
【００１４】
本発明の画像形成装置は、記録媒体に印刷を実行する印刷デバイスを備え、前記抽出部分出力手段による前記部分の出力は、前記部分抽出手段によって抽出された前記部分の前記印刷デバイスによる印刷を含んでも良い。
【００１５】
この構成により、本発明の画像形成装置は、原稿上の表示の一部を印刷デバイスによって印刷することができるので、利便性を向上することができる。
【００１６】
本発明の画像形成装置において、前記抽出部分出力手段は、前記部分抽出手段によって抽出された前記部分を前記印刷デバイスによって印刷する場合、特定の倍率で拡大して印刷しても良い。
【００１７】
この構成により、本発明の画像形成装置は、原稿上の表示の一部を拡大して印刷デバイスによって印刷することができるので、利便性を向上することができる。
【００１８】
本発明の画像形成プログラムは、操作が入力される入力デバイス、情報を表示する表示デバイス、および、原稿から画像を読み取る読取デバイスを備える画像形成措置を、前記読取デバイスによって原稿から画像を読み取る画像読取手段、前記画像読取手段によって読み取られた画像を前記表示デバイスに表示する読取画像表示手段、前記読取画像表示手段によって前記表示デバイスに表示された画像における領域を前記入力デバイスによる入力に応じて受け付ける領域受付手段、前記画像読取手段によって読み取られた画像のうち前記領域受付手段によって受け付けられた領域に対応する部分を抽出する部分抽出手段、および、前記部分抽出手段によって抽出された前記部分を出力する抽出部分出力手段として機能させることを特徴とする。
【００１９】
この構成により、本発明の画像形成プログラムを実行する画像形成装置は、原稿から読取デバイスによって読み取った画像のうち入力デバイスによる入力に応じて受け付けた領域に対応する部分を抽出し、抽出した部分を出力するので、原稿上の表示の一部を出力することができる。
【発明の効果】
【００２０】
本発明の画像形成装置および画像形成プログラムは、原稿上の表示の一部を出力することができる。
【図面の簡単な説明】
【００２１】
【図１】本発明の一実施の形態に係るＭＦＰのブロック図である。
【図２】スキャンを実行する場合の図１に示すＭＦＰの動作の一部のフローチャートである。
【図３】スキャンを実行する場合のＭＦＰの動作の、図２に示す部分とは異なる一部のフローチャートである。
【図４】図２に示す動作において表示されるスキャン結果画面の一例を示す図である。
【図５】図２に示す動作において表示されるポップアップの一例を示す図である。
【図６】部分表示領域に画像が表示されている場合の図４に示すスキャン結果画面の一例を示す図である。
【図７】図３に示す動作において表示される記憶条件設定画面の一例を示す図である。
【図８】部分表示領域に画像が表示されている場合のスキャン結果画面の、図６に示す例とは異なる一例を示す図である。
【発明を実施するための形態】
【００２２】
以下、本発明の一実施の形態について、図面を用いて説明する。
【００２３】
まず、本実施の形態に係る画像形成装置としてのＭＦＰ（Ｍｕｌｔｉｆｕｎｃｔｉｏｎ  Ｐｅｒｉｐｈｅｒａｌ）の構成について説明する。
【００２４】
図１は、本実施の形態に係るＭＦＰ１０のブロック図である。
【００２５】
図１に示すように、ＭＦＰ１０は、種々の操作が入力されるボタンなどの入力デバイスである操作部１１と、種々の情報を表示するＬＣＤ（Ｌｉｑｕｉｄ  Ｃｒｙｓｔａｌ  Ｄｉｓｐｌａｙ）などの表示デバイスである表示部１２と、原稿から画像を読み取る読取デバイスであるスキャナー１３と、用紙などの記録媒体に画像を印刷する印刷デバイスであるプリンター１４と、図示していない外部のファクシミリ装置と公衆電話回線などの通信回線経由でファックス通信を行うファックスデバイスであるファックス通信部１５と、ＬＡＮ（Ｌｏｃａｌ  Ａｒｅａ  Ｎｅｔｗｏｒｋ）、インターネットなどのネットワーク経由で外部の装置と通信を行う通信デバイスである通信部１６と、各種の情報を記憶する半導体メモリー、ＨＤＤ（Ｈａｒｄ  Ｄｉｓｋ  Ｄｒｉｖｅ）などの不揮発性の記憶デバイスである記憶部１７と、ＭＦＰ１０全体を制御する制御部１８とを備えている。
【００２６】
ＭＦＰ１０は、例えば、公的機関、コンビニエンスストア、病院、薬局などの場所に配置されている。
【００２７】
記憶部１７は、画像形成プログラム１７ａを記憶している。画像形成プログラム１７ａは、ＭＦＰ１０の製造段階でＭＦＰ１０にインストールされていても良いし、ＳＤカード、ＵＳＢ（Ｕｎｉｖｅｒｓａｌ  Ｓｅｒｉａｌ  Ｂｕｓ）メモリーなどの外部の記憶媒体からＭＦＰ１０に追加でインストールされても良いし、ネットワーク上からＭＦＰ１０に追加でインストールされても良い。
【００２８】
制御部１８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部１７に記憶されているプログラムを実行する。
【００２９】
制御部１８は、記憶部１７に記憶されている画像形成プログラム１７ａを実行することによって、スキャナー１３によって原稿から画像を読み取る画像読取手段１８ａ、画像読取手段１８ａによって読み取られた画像を表示部１２に表示する読取画像表示手段１８ｂ、読取画像表示手段１８ｂによって表示部１２に表示された画像における領域を操作部１１による入力に応じて受け付ける領域受付手段１８ｃ、画像読取手段１８ａによって読み取られた画像のうち領域受付手段１８ｃによって受け付けられた領域に対応する部分を抽出する部分抽出手段１８ｄ、および、部分抽出手段１８ｄによって抽出された部分を出力する抽出部分出力手段１８ｅとして機能する。
【００３０】
次に、スキャナー１３によって原稿から画像を読み取る動作、すなわち、スキャンを実行する場合のＭＦＰ１０の動作について説明する。
【００３１】
図２および図３は、スキャンを実行する場合のＭＦＰ１０の動作のフローチャートである。
【００３２】
制御部１８は、スキャンの開始が操作部１１を介して指示されると、図２および図３に示す動作を実行する。
【００３３】
図２および図３に示すように、画像読取手段１８ａは、スキャナー１３によって１ページ分の原稿から画像を読み取る（Ｓ１０１）。
【００３４】
次いで、読取画像表示手段１８ｂは、Ｓ１０１において読み取られた画像を表示するスキャン結果画面２０（図４参照。）を表示部１２に表示する（Ｓ１０２）。
【００３５】
図４は、スキャン結果画面２０の一例を示す図である。
【００３６】
図４に示すスキャン結果画面２０には、スキャナー１３によって読み取られた画像３０が表示される全体画像表示領域２１と、全体画像表示領域２１に表示される画像３０における特定の部分が表示される部分表示領域２２と、部分表示領域２２に表示される画像のパラメーターを設定するためのパラメーター設定領域２３と、部分表示領域２２に表示された画像を特定の記憶先に記憶させることが指定されるためのチェックボックス２４と、部分表示領域２２に表示された画像を印刷することが指定されるためのチェックボックス２５と、スキャン結果画面２０の表示の終了が指示されるためのボタン２６とを含んでいる。
【００３７】
なお、図４における画像３０は、原稿が運転免許証である場合の例である。
【００３８】
パラメーター設定領域２３は、全体画像表示領域２１に表示される画像３０において指定される領域（以下「指定領域」と言う。）の形状が指定されるためのラジオボタン２３ａ、２３ｂと、指定領域を指定する場合の長さの単位が指定されるためのラジオボタン２３ｃ、２３ｄと、全体画像表示領域２１における指定領域の中心の位置が指定されるためのテキストボックス２３ｅ、２３ｆと、指定領域のサイズが指定されるためのテキストボックス２３ｇ、２３ｈと、指定領域に対応する部分の倍率が指定されるためのラジオボタン２３ｉ−２３ｌとを含んでいる。
【００３９】
ラジオボタン２３ａ、２３ｂは、それぞれ、円、長方形が指定されるラジオボタンである。ラジオボタン２３ａ、２３ｂは、何れか一方のみが指定可能である。
【００４０】
ラジオボタン２３ｃ、２３ｄは、それぞれ、インチ、センチが指定されるラジオボタンである。ラジオボタン２３ｃ、２３ｄは、何れか一方のみが指定可能である。
【００４１】
テキストボックス２３ｅ、２３ｆは、それぞれ、縦方向の位置、横方向の位置が指定されるテキストボックスである。
【００４２】
テキストボックス２３ｇ、２３ｈは、それぞれ、縦方向の長さ、横方向の長さが指定されるテキストボックスである。
【００４３】
ラジオボタン２３ｉ−２３ｌは、それぞれ、等倍、２倍、３倍、４倍が指定されるラジオボタンである。ラジオボタン２３ｉ−２３ｌは、何れか１つのみが指定可能である。
【００４４】
図２および図３に示すように、領域受付手段１８ｃは、Ｓ１０２の処理の後、画像３０の一部を抽出するか否かを尋ねるためのポップアップ４０（図５参照。）を表示部１２に表示する（Ｓ１０３）。
【００４５】
図５は、ポップアップ４０の一例を示す図である。
【００４６】
図５に示すポップアップ４０は、画像３０の一部を抽出しないことが指定されるためのラジオボタン４１と、画像３０の一部を抽出することが指定されるためのラジオボタン４２と、ラジオボタン４１、４２における指定を受け付けるためのＯＫボタン４３とを含んでいる。ラジオボタン４１、４２は、何れか一方のみが指定可能である。
【００４７】
なお、ポップアップ４０は、全体画像表示領域２１に表示されている画像３０を隠すことがない位置に表示されてもよい。
【００４８】
図２および図３に示すように、領域受付手段１８ｃは、Ｓ１０３の処理の後、ＯＫボタン４３が押されたと判断するまで、ＯＫボタン４３が押されたか否かを判断する（Ｓ１０４）。
【００４９】
領域受付手段１８ｃは、ＯＫボタン４３が押されたとＳ１０４において判断すると、ポップアップ４０の表示を終了し（Ｓ１０５）、画像３０の一部を抽出することがポップアップ４０の表示の終了時にラジオボタン４１によって指定されていたか否かを判断する（Ｓ１０６）。
【００５０】
領域受付手段１８ｃは、画像３０の一部を抽出することが指定されていた、すなわち、画像３０の一部を抽出しないことが指定されていなかったとＳ１０６において判断すると、パラメーター設定領域２３において設定されているパラメーターに応じて指定領域を受け付けて（Ｓ１０７）、Ｓ１０７において受け付けた指定領域を全体画像表示領域２１に表示する（Ｓ１０８）。
【００５１】
次いで、部分抽出手段１８ｄは、Ｓ１０１において読み取られた画像３０のうちＳ１０７において受け付けられた指定領域に対応する部分をビットマップ画像として抽出する（Ｓ１０９）。
【００５２】
次いで、抽出部分出力手段１８ｅは、Ｓ１０９において抽出された部分を部分表示領域２２に表示する（Ｓ１１０）。
【００５３】
図６は、部分表示領域２２に画像５０が表示されている場合のスキャン結果画面２０の一例を示す図である。
【００５４】
図６に示すスキャン結果画面２０は、Ｓ１０８において表示された指定領域３１と、Ｓ１１０において表示された部分の画像５０とを含んでいる。
【００５５】
指定領域３１の形状は、ラジオボタン２３ｂによって指定された長方形である。指定領域３１は、例えば運転免許証の番号を囲む領域である。
【００５６】
画像５０は、画像３０のうち指定領域３１に対応する部分の画像であり、ラジオボタン２３ｉ−２３ｌによって指定された倍率で拡大されている。
【００５７】
図２および図３に示すように、領域受付手段１８ｃは、Ｓ１１０の処理の後、終了ボタン２６が押されたか否かを判断する（Ｓ１１１）。
【００５８】
領域受付手段１８ｃは、終了ボタン２６が押されていないとＳ１１１において判断すると、パラメーター設定領域２３において設定されているパラメーターが変更されたか否かを判断する（Ｓ１１２）。
【００５９】
領域受付手段１８ｃは、パラメーターが変更されたとＳ１１２において判断すると、Ｓ１０７の処理を実行する。
【００６０】
領域受付手段１８ｃは、パラメーターが変更されていないとＳ１１２において判断すると、Ｓ１１１の処理を実行する。
【００６１】
領域受付手段１８ｃは、終了ボタン２６が押されたとＳ１１１において判断すると、スキャン結果画面２０の表示を終了する（Ｓ１１３）。
【００６２】
抽出部分出力手段１８ｅは、Ｓ１１３の処理の後、部分表示領域２２に表示された画像を特定の記憶先に記憶させることがスキャン結果画面２０の表示の終了時にチェックボックス２４によって指定されていたか否かを判断する（Ｓ１１４）。
【００６３】
抽出部分出力手段１８ｅは、部分表示領域２２に表示された画像を特定の記憶先に記憶させることがチェックボックス２４によって指定されていたとＳ１１４において判断すると、部分表示領域２２に表示された画像の記憶条件を設定するための記憶条件設定画面６０（図７参照。）を表示部１２に表示する（Ｓ１１５）。
【００６４】
図７は、記憶条件設定画面６０の一例を示す図である。
【００６５】
図７に示すように、記憶条件設定画面６０は、記憶させる画像のフォーマットが指定されるためのドロップダウンリスト６１と、画像の記憶先が指定されるためのドロップダウンリスト６２と、ＯＫボタン６３とを含む。記憶条件設定画面６０は、記憶させる画像のファイル名が指定可能でも良い。
【００６６】
ドロップダウンリスト６１によって選択可能なファイル形式は、例えば、ＰＤＦ（Ｐｏｒｔａｂｌｅ  Ｄｏｃｕｍｅｎｔ  Ｆｏｒｍａｔ）形式、ＪＰＥＧ（Ｊｏｉｎｔ  Ｐｈｏｔｏｇｒａｐｈｉｃ  Ｅｘｐｅｒｔｓ  Ｇｒｏｕｐ）形式、ＴＩＦＦ（Ｔａｇｇｅｄ  Ｉｍａｇｅ  Ｆｉｌｅ  Ｆｏｒｍａｔ）形式である。
【００６７】
ドロップダウンリスト６２によって選択可能な記憶先は、例えば、記憶部１７、ＵＳＢメモリー、ＳＤカード、ＨＤＤ、ＳＳＤ（Ｓｏｌｉｄ  Ｓｔａｔｅ  Ｄｒｉｖｅ）などの記憶デバイスである。
【００６８】
図２および図３に示すように、抽出部分出力手段１８ｅは、Ｓ１１５の処理の後、ＯＫボタン６３が押されたと判断するまで、ＯＫボタン６３が押されたか否かを判断する（Ｓ１１６）。
【００６９】
抽出部分出力手段１８ｅは、ＯＫボタン６３が押されたとＳ１１６において判断すると、記憶条件設定画面６０の表示を終了し（Ｓ１１７）、Ｓ１０９において抽出された部分を、記憶条件設定画面６０の表示の終了時に記憶条件設定画面６０において設定されていた記憶条件で記憶する（Ｓ１１８）。
【００７０】
抽出部分出力手段１８ｅは、部分表示領域２２に表示された画像を特定の記憶先に記憶させることがチェックボックス２４によって指定されていなかったとＳ１１４において判断するか、Ｓ１１８の処理が終了すると、部分表示領域２２に表示された画像を印刷することがスキャン結果画面２０の表示の終了時にチェックボックス２５によって指定されていたか否かを判断する（Ｓ１１９）。
【００７１】
抽出部分出力手段１８ｅは、部分表示領域２２に表示された画像を印刷することがチェックボックス２５によって指定されていたとＳ１１９において判断すると、Ｓ１０９において抽出された部分をプリンター１４によって印刷する（Ｓ１２０）。ここで、抽出部分出力手段１８ｅは、Ｓ１０９において抽出された部分が記憶媒体の中心に配置されるように、Ｓ１０９において抽出された部分をラジオボタン２３ｉ−２３ｌによって指定された倍率で拡大して印刷する。
【００７２】
領域受付手段１８ｃは、画像３０の一部を抽出することが指定されていなかった、すなわち、画像３０の一部を抽出しないことが指定されていたとＳ１０６において判断すると、スキャン結果画面２０の表示を終了する（Ｓ１２１）。
【００７３】
画像読取手段１８ａは、部分表示領域２２に表示された画像を印刷することがチェックボックス２５によって指定されていなかったとＳ１１９において判断されるか、Ｓ１２０の処理が終了するか、Ｓ１２１の処理が終了すると、Ｓ１０１において読み取られた画像を図２および図３に示す動作の開始前に設定されていた記憶条件で記憶して（Ｓ１２２）、図２および図３に示す動作を終了する。
【００７４】
以上に説明したように、ＭＦＰ１０は、原稿からスキャナー１３によって読み取った画像のうち操作部１１による入力に応じて受け付けた領域に対応する部分を抽出し（Ｓ１０９）、抽出した部分を出力する（Ｓ１１０、Ｓ１１８、Ｓ１２０）ので、原稿上の表示の一部を出力することができる。
【００７５】
ＭＦＰ１０は、原稿上の表示の一部を表示部１２に表示する（Ｓ１１０）ことができるので、利便性を向上することができる。
【００７６】
特に、ＭＦＰ１０は、原稿上の表示の一部を拡大して表示部１２に表示することができるので、高齢者など、原稿上の小さい文字を見辛い者にとって利便性を向上することができる。
【００７７】
なお、ＭＦＰ１０は、ラジオボタン２３ｉ−２３ｌによって指定された倍率に関わらず、原稿上の表示の一部を拡大せずに表示部１２に表示しても良いし、原稿上の表示の一部を部分表示領域２２に表示可能な最大のサイズに拡大して表示部１２に表示しても良い。
【００７８】
ＭＦＰ１０は、原稿上の表示の一部を記憶デバイスに記憶する（Ｓ１１８）ことができるので、利便性を向上することができる。
【００７９】
ＭＦＰ１０は、原稿上の表示の一部をプリンター１４によって印刷する（Ｓ１２０）ことができるので、利便性を向上することができる。
【００８０】
特に、ＭＦＰ１０は、原稿上の表示の一部を拡大してプリンター１４によって印刷することができるので、高齢者など、原稿上の小さい文字を見辛い者にとって利便性を向上することができる。
【００８１】
なお、ＭＦＰ１０は、ラジオボタン２３ｉ−２３ｌによって指定された倍率に関わらず、原稿上の表示の一部を拡大せずに印刷しても良いし、原稿上の表示の一部を１枚の記録媒体に印刷可能な最大のサイズに拡大して印刷しても良い。
【００８２】
ＭＦＰ１０は、原稿上の表示の一部をプリンター１４によって印刷する場合、原稿上の表示の一部が記憶媒体の中心に配置されるように印刷するので、均整がとれて綺麗な印刷物を出力することができる。
【００８３】
なお、ＭＦＰ１０は、本実施の形態において、スキャナー１３によって読み取られた画像３０の一部を抽出するか否かが図２および図３に示す動作の途中で設定される。しかしながら、ＭＦＰ１０は、スキャナー１３によって読み取られた画像３０の一部を抽出するか否かが図２および図３に示す動作の開始前に設定されても良い。
【００８４】
ＭＦＰ１０は、本実施の形態において、指定領域が数値で設定される。しかしながら、ＭＦＰ１０は、表示部１２が操作部１１の一部とともにタッチパネルを構成する場合には、数値によってではなく、タッチパネルに触れられた位置によって指定領域の位置およびサイズが指定されても良い。
【００８５】
ＭＦＰ１０は、本実施の形態において、指定領域の形状として円または長方形が指定されることができる。しかしながら、ＭＦＰ１０は、指定領域の形状として円や長方形以外の形状が指定可能でも良い。
【００８６】
ＭＦＰ１０は、本実施の形態において、スキャン結果画面２０に全体画像表示領域２１および部分表示領域２２を並べて同時に表示する。しかしながら、ＭＦＰ１０は、全体画像表示領域２１および部分表示領域２２を同時に表示しなくても良い。例えば、ＭＦＰ１０は、全体画像表示領域２１および部分表示領域２２を切り替えて表示部１２に表示する場合、全体画像表示領域２１および部分表示領域２２のそれぞれを大きく表示することが可能である。
【００８７】
ＭＦＰ１０は、図２に示すＳ１０９において抽出された部分を印刷するとともに、スキャナー１３によって読み取られた画像の全体（画像３０）を印刷しても良い。
【００８８】
ＭＦＰ１０は、スキャン結果画面２０の部分表示領域２２において、図２に示すＳ１０９において抽出された部分とともに、スキャナー１３によって読み取られた画像における抽出された部分の周囲の領域を例えば図８に示すように表示しても良い。この場合、周囲の領域は、抽出された部分とは表示態様を変えて表示しても良い。例えば、ＭＦＰ１０は、周囲の領域を抽出された部分に比べて明度及び／又は彩度を低くして表示しても良い。また、例えば、ＭＦＰ１０は、抽出された部分がカラーの場合、周囲の領域をモノクロで表示しても良い。ＭＦＰ１０は、抽出された部分を印刷する際、抽出された部分とともに周囲の領域を部分表示領域２２に表示されている態様と同様の態様で印刷しても良いし、抽出された部分のみを印刷しても良い。
【００８９】
本発明の画像形成装置は、本実施の形態においてＭＦＰであるが、入力部、表示部およびスキャナーを備えていれば、スキャナー専用機、コピー専用機など、ＭＦＰ以外の画像形成装置であっても良い。
【符号の説明】
【００９０】
１０  ＭＦＰ（画像形成装置）
１１  操作部（入力デバイス）
１２  表示部（表示デバイス）
１３  スキャナー（読取デバイス）
１４  プリンター（印刷デバイス）
１７  記憶部（記憶デバイス）
１７ａ  画像形成プログラム
１８ａ  画像読取手段
１８ｂ  読取画像表示手段
１８ｃ  領域受付手段
１８ｄ  部分抽出手段
１８ｅ  抽出部分出力手段
３０  画像
３１  指定領域
５０  画像（部分の画像）
【図１】
2017216506.tif 000003
【図２】
2017216506.tif 000004
【図３】
2017216506.tif 000005
【図４】
2017216506.tif 000006
【図５】
2017216506.tif 000007
【図６】
2017216506.tif 000008
【図７】
2017216506.tif 000009
【図８】
2017216506.tif 000010